(57)【要約】【課題】給湯用混合弁の給湯温度の設定を下げても、貯湯タンク内の湯を入れ替える際の排水量が増加するのを防止できる貯湯式温水器を提供すること。【解決手段】湯を貯湯する貯湯タンク６１と、貯湯タンク６１内の湯と、水とを混合して給湯するための給湯用混合弁６２と、を備える貯湯式温水器１１であって、給湯用混合弁６２を介さずに、貯湯タンク６１内の湯と、水とを混合して排水管４１に排出する混合部６９を備える貯湯式温水器１１を提供する。【選択図】図２
2015105761.tif 000002
【特許請求の範囲】
【請求項１】
湯を貯湯する貯湯タンクと、
前記貯湯タンク内の湯と、水とを混合して給湯するための給湯用混合弁と、を備える貯湯式温水器において、
前記給湯用混合弁を介さずに、前記貯湯タンク内の湯と、水とを混合して排水管に排出する混合部を備える貯湯式温水器。
【請求項２】
前記混合部は、流入する湯と水とを一定比率で混合可能であり、
前記混合部の流出側には、開閉可能な開閉弁が設けられている請求項１に記載の貯湯式温水器。
【請求項３】
前記混合部は、流入する湯と水との混合比率を変更可能な排出用混合弁を備え、
前記混合部の流出側には、開閉可能な開閉弁が設けられている請求項１に記載の貯湯式温水器。
【請求項４】
前記混合部の湯流入側と水流入側には、それぞれ逆止弁が設けられている請求項１から３いずれかに記載の貯湯式温水器。
【請求項５】
前記混合部は、流入する湯と水とを一定比率で混合可能であり、
前記混合部の湯流入側と水流入側には、それぞれ開閉可能な開閉弁が設けられている請求項１に記載の貯湯式温水器。
【発明の詳細な説明】
【技術分野】
【０００１】
本発明は、貯湯式温水器に関する。
【背景技術】
【０００２】
従来、加熱した湯を貯湯タンク内に貯湯し、この貯湯タンク内から湯を出湯する貯湯式温水器が知られている。この貯湯式温水器では、不使用状態が続くと、長時間に亘って貯湯タンク内に湯が滞留することになり、特に飲料用の貯湯式温水器としては衛生上好ましくない。そこで、使用後、所定時間が経過した後に、排出弁を開いて貯湯タンク内の湯を排出し、貯湯タンク内の湯を入れ替える貯湯式温水器が提案されている（例えば、特許文献１、２参照）。
【０００３】
また、貯湯式温水器の他の例として、図５に示す構造の貯湯式温水器１が知られている。図５に示す貯湯式温水器１は、ヒーター２０で沸かし上げられた貯湯タンク２内の湯の衛生性を確保するため、設定した期間毎に貯湯タンク２内の湯を自動で入れ替える機能を有する。この場合、排水管３に貯湯タンク２内の高温の湯（例えば６０〜９０℃）をそのまま排出すると、排水管部品に劣化や損傷が生じるおそれがあるため、温度を下げて排水している。具体的には、貯湯タンク２内の湯と、給水源からストレーナ６や減圧弁７を介して給水された水とを混合して洗浄用等の雑用に供するための給湯用混合弁４を介することで、温度を下げてから電磁弁５を開いて排出している。
【先行技術文献】
【特許文献】
【０００４】
【特許文献１】実開平５−９４６４９号公報
【特許文献２】特開２０１２−２４７０９８号公報
【発明の概要】
【発明が解決しようとする課題】
【０００５】
ところで、近年、給湯温度のさらなる安全性が求められており、給湯用混合弁４の給湯温度設定（例えば５０℃）を下げることが望まれている。しかしながら、図５に示す構造では、給湯用混合弁４の給湯温度設定を下げると（例えば４０℃）、特に夏場等の給水温度が高い時期には、湯に対する水の混合比率が高くなるため、貯湯タンク２内の湯を入れ替える際の排水量が増加する。
【０００６】
本発明は上記の事情に鑑みてなされたものであり、その目的は、給湯用混合弁の給湯温度設定を下げた場合であっても、貯湯タンク内の湯を入れ替える際の排水量が増加するのを防止できる貯湯式温水器を提供することにある。
【課題を解決するための手段】
【０００７】
（１）上記目的を達成するための本発明は、湯を貯湯する貯湯タンク（例えば、後述の貯湯タンク６１）と、前記貯湯タンク内の湯と、水とを混合して給湯するための給湯用混合弁（例えば、後述の給湯用混合弁６２）と、を備える貯湯式温水器において、前記給湯用混合弁を介さずに、前記貯湯タンク内の湯と、水とを混合して排水管（例えば、後述の排水管４１）に排出する混合部（例えば、後述の混合部６９）を備える貯湯式温水器（例えば、後述の貯湯式温水器１１）を提供する。
【０００８】
（１）の発明では、給湯用混合弁を介さずに、貯湯タンク内の湯と、水とを混合して排水管に排出する混合部を備える。これにより、給湯用混合弁を介さずに、貯湯タンク内の湯と水とを混合させて排出できる。そのため、給湯用混合弁の設定温度を例えば４０℃に下げた場合であっても、混合部における排水の設定温度を例えばより高い５０℃とすることで、貯湯タンク内の湯を入れ替える際の排水量が増加するのを防止できる。ひいては節水することができ、ランニングコストを低減できる。
【０００９】
（２）前記混合部は、流入する湯と水とを一定比率で混合可能であり、前記混合部の流出側には、開閉可能な開閉弁（例えば、後述の電磁弁７０）が設けられていることが好ましい。
【００１０】
（２）の発明では、混合部を、流入する湯と水とを一定比率で混合可能に構成するとともに、混合部の流出側に、開閉可能な開閉弁を設ける。これにより、開閉弁を開閉することによって、給湯用混合弁の設定温度によらずに、排水量を抑えながら貯湯タンク内の湯を入れ替えできる。
【００１１】
（３）前記混合部は、流入する湯と水との混合比率を変更可能な排出用混合弁（例えば、後述の排出用混合弁１０２）を備え、前記混合部の流出側には、開閉可能な開閉弁（例えば、後述の電磁弁７０）が設けられていることが好ましい。
【００１２】
（３）の発明では、混合部に、流入する湯と水との混合比率を変更可能な排出用混合弁を設けるとともに、混合部の流出側に、開閉可能な開閉弁を設ける。これにより、開閉弁を開閉することによって、給湯用混合弁の設定温度によらずに、排水量を抑えながら貯湯タンク内の湯を入れ替えできる。また、混合部に設けた排出用混合弁により、湯と水との混合比率を変更することで、排水温度を調整できる。
【００１３】
（４）前記混合部の湯流入側と水流入側には、それぞれ逆止弁（例えば、後述の逆止弁６７，６８）が設けられていることが好ましい。
【００１４】
（４）の発明では、混合部の湯流入側と水流入側に、それぞれ逆止弁を設ける。これにより、混合部からの逆流を確実に防止することができる。
【００１５】
（５）前記混合部は、流入する湯と水とを一定比率で混合可能であり、前記混合部の湯流入側と水流入側には、それぞれ開閉可能な開閉弁（例えば、電磁弁２０２，２０３）が設けられていることが好ましい。
【００１６】
（５）の発明では、混合部を、流入する湯と水とを一定比率で混合可能に構成するとともに、上述の発明の逆止弁に代えて、混合部の湯流入側と水流入側に、それぞれ開閉可能な開閉弁を設ける。これにより、固着等による詰まりが比較的生じ易い逆止弁に比べて耐久性の高い開閉弁を用いることで、より耐久性が高く信頼性の高い貯湯式温水器が得られる。
【発明の効果】
【００１７】
本発明によれば、給湯用混合弁の給湯温度設定を下げた場合であっても、貯湯タンク内の湯を入れ替える際の排水量が増加するのを防止できる貯湯式温水器を提供できる。
【図面の簡単な説明】
【００１８】
【図１】本発明の第１実施形態に係る貯湯式温水器の外観を示す斜視図である。
【図２】上記実施形態に係る貯湯式温水器の内部構成を示す図である。
【図３】本発明の第２実施形態に係る貯湯式温水器の内部構成を示す図である。
【図４】本発明の第３実施形態に係る貯湯式温水器の内部構成を示す図である。
【図５】従来の貯湯式温水器の内部構成を示す図である。
【発明を実施するための形態】
【００１９】
以下、本発明の実施形態について、図面を参照しながら詳細に説明する。
【００２０】
＜第１実施形態＞
図１は、本発明の第１実施形態に係る貯湯式温水器１１の外観を示す斜視図であり、本貯湯式温水器１１をシンク１２に適用した例を示す。なお、図１において、シンク１２は透視図で表している。
貯湯式温水器１１は、ケーシング３１内に後述するヒーター付の貯湯タンク（図示せず）を備える。図１に示すように、貯湯式温水器１１は、シンク１２の内部に配置されており、シンク１２の内壁に配設された電源コンセント５１に電源ケーブル５２を接続し、ケーシング３１の前面に設けられた電源スイッチ５３をＯＮすることで作動する。
【００２１】
図１に示すように、貯湯式温水器１１の周辺には、熱湯用単水栓３２と、混合水栓３３と、止水栓３４と、排水器具３５と、熱湯管３６と、出湯管３７と、同圧給水管３８と、給水管３９と、排水ホース４０と、が設けられている。
【００２２】
熱湯用単水栓３２と混合水栓３３は、シンク１２のシンク本体１３の近傍に配設されている。止水栓３４は、シンク１２の内壁に配設されている。排水器具３５は、シンク本体１３の排水口４１ａから下方に延びた排水管４１の途中に接続されている。
【００２３】
熱湯管３６は、一端が熱湯用単水栓３２に接続され、他端が貯湯式温水器１１のケーシング３１の上面に接続されている。出湯管３７は、一端が混合水栓３３に接続され、他端が貯湯式温水器１１のケーシング３１の上面に接続されている。同圧給水管３８は、一端が混合水栓３３に接続され、他端が貯湯式温水器１１のケーシング３１の上面に接続されている。給水管３９は、一端が止水栓３４に接続され、他端が貯湯式温水器１１のケーシング３１の上面に接続されている。排水ホース４０は、一端が排水器具３５に接続され、他端が貯湯式温水器１１のケーシング３１の上面に接続されている。
【００２４】
次に、本実施形態に係る貯湯式温水器１１の内部構成について説明する。図２は、本実施形態に係る貯湯式温水器１１の内部構成を示す図である。
図２に示すように、貯湯式温水器１１は、ケーシング３１内に、貯湯タンク６１と、給湯用混合弁６２と、逆止弁６３と、ストレーナ６４と、逆止弁６５と、減圧弁６６と、逆止弁６７，６８と、混合部６９と、電磁弁７０と、逃し弁７２と、サーミスタ７３と、水抜き弁７４と、を備える。
【００２５】
給水管３９から供給される水は、ストレーナ６４で水中のゴミが除去され、逆止弁６５を流通し、減圧弁６６で減圧された後、給水管３９を流通して貯湯タンク６１内に供給される。
【００２６】
貯湯タンク６１は、内部にヒーター７１を備える。水が供給された貯湯タンク６１では、このヒーター７１に通電することによって、６０〜９０℃の湯が沸かされる。貯湯タンク６１で沸かされた熱湯は、熱湯管３６を流通して熱湯用単水栓３２（図１参照）に供給され、熱湯用単水栓３２から流出することで、飲用熱湯として利用される。
【００２７】
また、熱湯管３６の分岐部３６ａで分岐した熱湯分岐管８１には、逆止弁６３と給湯用混合弁６２が設けられている。従って、貯湯タンク６１で沸かされた熱湯の一部が、熱湯管３６から熱湯分岐管８１へ分流し、逆止弁６３を流通した後、給湯用混合弁６２に供給される。
一方、給水管３９の分岐部３９ａで分岐した給水分岐管８２には、給水管３９から給水の一部が分流する。給水分岐管８２に分流した給水は、給湯用混合弁６２に供給される。これにより、給湯用混合弁６２では、熱湯分岐管８１を流通して供給された熱湯と、給水分岐管８２を流通して供給された水とが混合されることで、給湯用混合弁６２の設定温度（例えば４０℃）の湯となる。
【００２８】
給湯用混合弁６２において熱湯と水が混合されて生成された湯は、出湯管３７を流通して混合水栓３３（図１参照）に供給され、混合水栓３３から流出することで、食器の洗浄等を行うための雑用給湯として利用される。
【００２９】
給水管３９の分岐部３９ｂで分岐した同圧給水管３８には、給水管３９から給水の一部が分流する。この同圧給水は、同圧給水管３８を流通して混合水栓３３（図１参照）に供給され、混合水栓３３から流出することで、使用に供される。
【００３０】
なお、貯湯タンク６１内で湯を沸かす際には、貯湯タンク６１内部の圧力上昇により膨張水が発生する。内圧が所定圧力を超えると逃し弁７２が開弁し、発生した膨張水は膨張水排出管８３及び排水ホース４０（図１参照）を介して、排水器具３５内の封水部に供給され、封水部内の封水となる。
【００３１】
なお、水抜き弁７４は、貯湯タンク６１の下部と給水管３９との接続部近傍に設けられている。水抜き弁７４は、メンテナンスや凍結防止目的で設けられた図示しない給気栓を操作した後に開弁する。これにより、給水管３９内の水が外部に排出される。
【００３２】
また、本実施形態の貯湯式温水器１１では、熱湯管３６の分岐部３６ｂで熱湯分岐管９１が分岐しており、この熱湯分岐管９１には熱湯管３６から熱湯の一部が分流する。また、給水管３９の分岐部３９ｃでは給水分岐管９２が分岐しており、この給水分岐管９２には、給水管３９から一部の給水が分流する。熱湯分岐管９１と給水分岐管９２は、混合部６９で合流している。
【００３３】
混合部６９は、熱湯分岐管９１と給水分岐管９２との流路合流部となっている。従って、混合部６９では、熱湯分岐管９１を流通してきた熱湯と、給水分岐管９２を流通してきた水とが混合する。この混合水は、混合部６９の流出側に設けられた電磁弁７０を介して、排水ホース４０に排出される。即ち、本実施形態の貯湯式温水器１１は、給湯用混合弁６２を介さずに、貯湯タンク６１の湯と、水とを混合して排水ホース４０に排出する混合部６９を備えている。
【００３４】
なお、混合部６９における湯と水の混合比は、混合水の温度が例えば５０℃となるように、予め混合部６９における湯と水の流路の径を調整して定めた一定の比率であり、例えば湯と水の比率を４：６とする。また、混合水の逆流を防止するため、混合部６９の水流入側（給水分岐管９２側）と湯流入側（熱湯分岐管９１側）には、それぞれ逆止弁６７，６８が設けられている。
【００３５】
サーミスタ７３は、電磁弁７０の下流側に設けられている。サーミスタ７３は、異常温度検出用であり、逆止弁６７，６８が固着したとき等に生じる排水温の異常高温を検出する。サーミスタ７３により異常高温が検出されると、電磁弁７０が閉弁されることで、安全性が確保されるようになっている。
【００３６】
次に、本実施形態の貯湯式温水器１１の動作について、図２を参照して説明する。
まず、給水管３９からストレーナ６４及び減圧弁６６等を介して貯湯タンク６１に水が供給されると、この供給水が貯湯タンク６１に設けられたヒーター７１で沸し上げられる。この沸し上げられた熱湯（例えば６０〜９０℃）は、熱湯管３６を介して飲用熱湯として供給される。
また、熱湯の一部は熱湯分岐管８１で分流し、給水分岐管８２で分流した水と給湯用混合弁６２で混合することにより、例えば４０℃の雑用給湯として供給される。この雑用給湯は同圧給水とともに混合水栓３３（図１参照）に供給されて混合水栓３３から流出する。
【００３７】
貯湯タンク６１内の湯を入れ替えするために排水する際には、給湯用混合弁６２は介さずに、熱湯分岐管９１で分流した湯と、給水分岐管９２で分流した水を混合部６９で混合して例えば５０℃の混合水とし、電磁弁７０を開いて排水する。また、貯湯タンク６１内で湯を沸かすことによって発生した膨張水は、逃し弁７２が開弁することで膨張水排出管８３等を介して排水されることにより、排水器具３５（図１参照）の封水部内の封水となる。
【００３８】
本実施形態によれば、以下の効果が奏される。
本実施形態の貯湯式温水器１１によれば、給湯用混合弁６２を介さずに、貯湯タンク６１の湯と、水とを混合して排水管４１に排出する混合部６９を設けた。これにより、給湯用混合弁６２を介さずに、貯湯タンク６１内の湯と水とを混合させて排出できる。そのため、給湯用混合弁６２の設定温度を例えば４０℃に下げた場合であっても、混合部６９における排水の設定温度を例えばより高い５０℃とすることで、貯湯タンク６１内の湯を入れ替える際の排水量が増加するのを防止できる。ひいては節水することができ、ランニングコストを低減できる。
【００３９】
また、混合部６９を、流入する湯と水とを一定比率で混合可能に構成するとともに、混合部６９の流出側に、開閉可能な電磁弁７０を設けた。これにより、電磁弁７０を開閉することによって、給湯用混合弁６２の設定温度によらずに、排水量を抑えながら貯湯タンク６１内の湯を入れ替えできる。
【００４０】
また、混合部６９の水流入側（給水分岐管９２側）と湯流入側（熱湯分岐管９１側）に、それぞれ逆止弁６７，６８を設けた。これにより、混合部６９からの混合水の逆流を確実に防止することができる。
【００４１】
＜第２実施形態＞
次に、本発明の第２実施形態に係る貯湯式温水器１０１について説明する。図３は、第２実施形態に係る貯湯式温水器１０１の内部構成を示す図である。なお、本実施形態の貯湯式温水器１０１において、上記第１実施形態の貯湯式温水器１１と同様の構成については同一の符号を付し、重複する説明は省略する。また、本実施形態の貯湯式温水器１０１の外観は、図１と同様である。
【００４２】
本実施形態の貯湯式温水器１０１は、上記第１実施形態の混合部６９に代えて、排水温度調整用の排出用混合弁１０２を備える。この排出用混合弁１０２は、湯流入側の流路の開度と、水流入側の流路の開度と調整することで、流入する湯と水との混合比率を変更可能となっている。即ち、排出用混合弁１０２では、混合する湯と水の割合を調整して、排水する混合水の温度を調整することが可能となっている。
【００４３】
熱湯分岐管９１と給水分岐管９２は、混合部としての排出用混合弁１０２において合流している。電磁弁７０は、排出用混合弁１０２の流出側に設けられている。これにより、本実施形態の貯湯式温水器１０１は、給湯用混合弁６２を介さずに、排出用混合弁１０２により貯湯タンク６１の湯と水とを混合し、排水管４１に排出できるようになっている。
【００４４】
本実施形態の貯湯式温水器１０１は、基本的には上記第１実施形態の貯湯式温水器１１と同様に動作する。また、本実施形態によれば、上記第１実施形態の効果に加えて以下の効果が奏される。
本実施形態の貯湯式温水器１０１によれば、混合部に、流入する湯と水との混合比率を変更可能な排出用混合弁１０２を設けるとともに、混合部の流出側に、開閉可能な電磁弁７０を設けた。これにより、電磁弁７０を開閉することによって、給湯用混合弁６２の設定温度によらずに、排水量を抑えながら貯湯タンク６１内の湯を入れ替えできる。また、混合部に設けた排出用混合弁１０２により、湯と水との混合比率を変更することで、排水温度の調整が可能である。
【００４５】
また、排出用混合弁１０２の水流入側（給水分岐管９２側）と湯流入側（熱湯分岐管９１側）に、それぞれ逆止弁６７，６８を設けた。これにより、混合部としての排出用混合弁１０２からの混合水の逆流を確実に防止することができる。
【００４６】
＜第３実施形態＞
次に、本発明の第３実施形態に係る貯湯式温水器２０１について説明する。図４は、第３実施形態に係る貯湯式温水器２０１の内部構成を示す図である。なお、本実施形態の貯湯式温水器２０１において、上記第１実施形態の貯湯式温水器１１と同様の構成については同一の符号を付し、重複する説明は省略する。また、本実施形態の貯湯式温水器２０１の外観は、図１と同様である。
【００４７】
本実施形態の貯湯式温水器２０１は、上記第１実施形態の逆止弁６７，６８に代えて、電磁弁２０２，２０３を備える。即ち、混合部６９の水流入側（給水分岐管９２側）と湯流入側（熱湯分岐管９１側）に、それぞれ電磁弁２０２，２０３が設けられている。排水時には、これら２つの電磁弁２０２，２０３が同時に開かれる。なお、この場合には、混合部６９の流出側には電磁弁が設けられていない。
【００４８】
本実施形態の貯湯式温水器２０１は、基本的には上記第１実施形態の貯湯式温水器１１と同様に動作する。また、本実施形態によれば、上記第１実施形態の効果に加えて以下の効果が奏される。
本実施形態の貯湯式温水器２０１によれば、混合部６９を、流入する湯と水とを一定比率で混合可能に構成するとともに、上述の実施形態１の逆止弁に代えて、混合部６９の水流入側と湯流入側に、それぞれ開閉可能な電磁弁２０２，２０３を設けた。これにより、固着等による詰りが比較的生じ易い逆止弁に比べて耐久性の高い電磁弁２０２，２０３を用いることで、より耐久性が高く信頼性の高い貯湯式温水器２０１が得られる。
【符号の説明】
【００４９】
１１…貯湯式温水器
４１…排水管
６１…貯湯タンク
６２…給湯用混合弁
６７，６８…逆止弁
６９…混合部
７０…電磁弁（開閉弁）
１２０…排水用混合弁
２０２，２０３…電磁弁（開閉弁）
【図１】
2015105761.tif 000003
【図２】
2015105761.tif 000004
【図３】
2015105761.tif 000005
【図４】
2015105761.tif 000006
【図５】
2015105761.tif 000007